(57)【特許請求の範囲】
【請求項１】
互いに対向して縦方向へ延びる両側縁部と、互いに対向して横方向へ延びる両端縁部とを有し、透液性表面シートと、不透液性裏面シートと、それらシートの間に介在する吸液性コアと、前記表面シートの外面に位置して前記縦方向へ延びる一対の液抵抗性防漏シートとから構成され、前記防漏シートそれぞれが、前記両側縁部に位置して前記表面シートに固着された固定側部と、前記縦方向へ延びる弾性伸縮性部材を伸長状態で取り付けて前記表面シートの外面から上方へ起立性向を有する自由側部と、前記両端縁部に位置して前記表面シートに固着された固定端部とを備えた体液吸収性インナーパネルにおいて、
前記インナーパネルを保持するアウター部材の内面に掛着可能であって前記横方向へ連続して延びる少なくとも１つの略矩形状の雄型面ファスナが、前記裏面シートの所要の部位に位置して前記裏面シートの外面に固着され、前記雄型面ファスナが、シート状基部と前記シート状基部の外面から起立する複数のフック部とを有し、前記フック部が、前記雄型面ファスナの横方向両端部を除いた前記シート状基部に形成され、前記防漏シートの固定側部と固定端部との少なくとも一方が、前記インナーパネルの両側縁部から前記裏面シートの外面の側へ延び、かつ、前記インナーパネルの両側縁部に位置する前記雄型面ファスナにおける前記横方向両端部の前記シート状基部を被覆した状態で前記裏面シートと前記面ファスナとに固着されていることを特徴とする前記インナーパネル。
【請求項２】
前記フック部の前記シート状基材に対向するフック形成側が、前記防漏シートの外面よりも突出している請求項１記載のインナーパネル。
【発明の詳細な説明】
【０００１】
【発明の属する技術分野】
本発明は、失禁者用吸尿パッド、おむつライナー、パンティーライナー等の排泄された体液を吸収、保持する体液吸収性インナーパネルに関する。
【０００２】
【従来の技術】
特開平９−２７６３１２号公報は、透液性表面シートと不透液性裏面シートとの間に吸液性コアが介在し、複数のフック部が形成された矩形の面ファスナを裏面シートの外面に取り付けた補助パッドを開示している。面ファスナは、その角部が面取りされたもので、パッドの中心部からパッドの縦方向一端縁部の側へ偏倚した排尿部位に取り付けられている。排尿部位の近傍に面ファスナを取り付けることで、排尿部位からパッドがずれることがなく、尿を確実に吸収することができる。
【０００３】
【発明が解決しようとする課題】
同号公報に開示のパッドは、面ファスナの角部が面取りされていても、パッドを取り付けるためのおむつカバーや失禁パンツ等の内面と面ファスナとがこすれ合ったり、着用中にパッドが動くことによって、面ファスナの角部が捲れ、面ファスナの角部がパッドから剥離してしまうことがある。面ファスナの角部がパッドから剥離すると、面ファスナの縁が着用者の肌に当たって不快感を与えることがある。
【０００４】
本発明の課題は、角部において容易に剥離することがなく、着用者に不快感を与えることがない雄型面ファスナを取り付けた体液吸収性インナーパネルを提供することにある。
【０００５】
【課題を解決するための手段】
前述した課題を解決するための本発明は、互いに対向して縦方向へ延びる両側縁部と、互いに対向して横方向へ延びる両端縁部とを有し、透液性表面シートと、不透液性裏面シートと、それらシートの間に介在する吸液性コアと、前記表面シートの外面に位置して前記縦方向へ延びる一対の液抵抗性防漏シートとから構成され、前記防漏シートそれぞれが、前記両側縁部に位置して前記表面シートに固着された固定側部と、前記縦方向へ延びる弾性伸縮性部材を伸長状態で取り付けて前記表面シートの外面から上方へ起立性向を有する自由側部と、前記両端縁部に位置して前記表面シートに固着された固定端部とを備えた体液吸収性インナーパネルを改良することにある。
【０００６】
改良にかかる本発明の特徴は、前記インナーパネルを保持するアウター部材の内面に掛着可能であって前記横方向へ連続して延びる少なくとも１つの略矩形状の雄型面ファスナが、前記裏面シートの所要の部位に位置して前記裏面シートの外面に固着され、前記雄型面ファスナが、シート状基部と前記シート状基部の外面から起立する複数のフック部とを有し、前記フック部が、前記雄型面ファスナの横方向両端部を除いた前記シート状基部に形成され、前記防漏シートの固定側部と固定端部との少なくとも一方が、前記インナーパネルの両側縁部から前記裏面シートの外面の側へ延び、かつ、前記インナーパネルの両側縁部に位置する前記雄型面ファスナにおける前記横方向両端部の前記シート状基部を被覆した状態で前記裏面シートと前記面ファスナとに固着されていることにある。
【０００７】
【０００８】
本発明の実施の態様の一例としては、前記フック部の前記シート状基材に対向するフック形成側が、前記防漏シートの外面よりも突出している。
【０００９】
【発明の実施の形態】
添付の図面を参照して、本発明に係る体液吸収性インナーパネルの詳細を失禁者用吸尿パッドを例として説明すると、以下のとおりである。
【００１０】
図１，２は、裏面シート３の側から示す失禁者用吸尿パッド１の部分破断平面図と、パッド１の中央部を省略して示す図１のＡ−Ａ線断面図とであり、図３は、パッド１の斜視図である。パッド１は、透液性表面シート２と、不透液性裏面シート３と、表面シート２と裏面シート３との間に介在してそれらシート２，３の少なくとも一方の内面に接合された吸液性コア４と、互いに対向離間して延びる一対の液抵抗性防漏シート５とから構成され、互いに対向して縦方向へ延びる両側縁部１ａと、互いに対向して横方向へ延びる両端縁部１ｂとを有する。表面シート２と裏面シート３とは、コア４の周縁部から周り方向外方へ延出するそれらシート２，３の部分が接着剤１４を介して固着されている。パッド１は、パッド１を保持するためのおむつカバーや失禁パンツ等のアウター部材の内側に取り付けて使用するものである。
【００１１】
防漏シート５それぞれは、パッド１の両側縁部１ａに位置して縦方向へ延び、パッド１の両側縁部１ａで横方向内方へ向かって折曲され、パッド１の両側縁部１ａから表面シート２の外面の側へ延びる第１部分５ａと、パッド１の両側縁部１ａから裏面シート３の外面の側へ延びる第２部分５ｅとを有する。
【００１２】
第１部分５ａは、パッド１の両側縁部１ａにおいて表面シート２の外面に接着剤１５を介して固着された固定側部５ｂと、固定側部５ｂに並行してパッド１の両端縁部１ｂの間に延びる自由側部５ｃと、パッド１の両端縁部１ｂにおいて表面シート２の外面に接着剤１５を介して固着された固定端部５ｄとを有する。自由側部５ｃには、縦方向へ延びる弾性伸縮性部材６が自由側部５ｃに被覆された状態で伸長下に取り付けられている。第２部分５ｅは、パッド１の両側縁部１ａと両端縁部１ｂとにおいて裏面シート３の外面に接着剤１６を介して固着されている。
【００１３】
裏面シート３の外面には、アウター部材の内面に掛着可能な２つの雄型面ファスナ７が取り付けられている。面ファスナ７は、パッド１の両端縁部１ｂに位置して横方向へ連続して延びる矩形のもので、シート状基部７ａと、シート状基部７ａの外面から起立する複数のフック部７ｂとから形成されている。
【００１４】
面ファスナ７は、シート状基部７ａの内面が裏面シート３の外面に接着剤１７を介して固着されている。パッド１の両側縁部１ａに位置する面ファスナ７の横方向両端部７ｃは、防漏シート５の第２部分５ｅに被覆され、横方向両端部７ｃにおけるシート状基部７ａの外面と第２部分５ｅの内面とが接着剤１８を介して固着されている。
【００１５】
面ファスナ７は、その横方向両端部７ｃが裏面シート３と防漏シート５の第２部分５ｅとの間に介在し、横方向両端部７ｃに位置する面ファスナ７の角部７ｄが防漏シート５に被覆、保護されているので、アウター部材の内面と面ファスナ７とがこすれ合っても、面ファスナ７の角部７ｄが不用意に捲れてしまうことがない。
【００１６】
フック部７ｂは、図２に示すように、面ファスナ７の横方向両端部７ｃを除いた部位に形成され、フック部７ｂのシート状基材７ａに対向するフック形成側７ｅが、防漏シート５の第２部分５ｅの外面よりも突出している。
【００１７】
面ファスナ７の横方向両端部７ｃにおける厚み寸法が、面ファスナ７の横方向両端部７ｃを除いた部位のそれよりも大きいと、横方向両端部７ｃがフック部７ｄのアウター部材に対する掛着を妨害してしまう。しかし、横方向両端部７ｃにはフック部７ｂが形成されていないので、横方向両端部７ｃにおいてシート状基部７ａと防漏シート５の第２部分５ｅとが固着されたとしても、横方向両端部７ｃの厚み寸法を面ファスナ７の横方向両端部７ｃを除いた部位のそれよりも小さくすることができ、横方向両端部７ｃがフック部７ｄのアウター部材に対する掛着の障害となることはない。
【００１８】
フック形成側７ｅが第２側部５ｅの外面から突出していない場合は、防漏シート５が横方向両端部７ｃ近傍に位置するフック部７ｂのアウター部材に対する掛着を妨害し、横方向両端部７ｃ近傍のフック部７ｂがアウター部材に掛着することができず、着用中にパッド１がアウター部材から外れ易くなってしまう。しかし、フック形成側７ｅが第２部分５ｅの外面から突出しているので、防漏シート５は障害とならず、フック部７ｂをアウター部材の内面に確実に係着させることができる。
【００１９】
パッド１は、図３に示すように、パッド１がその内面を内側にして縦方向へ湾曲し、第１部分５ａに取り付けられた弾性部材６が収縮して第１部分５ａの自由側部５ｃが表面シート２の外面から上方へ起立し、自由側部５ｃにギャザーが形成されている。
【００２０】
図４は、アウター部材のうちのおむつカバー８の内側にパッド１を取り付けた状態の斜視図であり、カバー８を破断して示す。おむつカバー８は、不織布製の内面シート９と、プラスチックフィルム製の外面シート１０とから構成され、縦方向に前胴周り域２０と、後胴周り域２２と、それら前後胴周り域２０，２２の間に位置する股下域２１とを有する。カバー８は、股下域２１においてカバー８の横方向内方へ向かい弧を画いて延びる両側縁部８ａと互いに対向して延びる両端縁部８ｂとを有する砂時計型のものである。
【００２１】
カバー８の前後胴周り域２０，２２には、両端縁部８ｂに沿って横方向へ延びる胴周り用弾性部材１１が内面シート９と外面シート１０との間に介在し、それらシート９，１０の少なくとも一方の内面に伸長状態で取り付けられている。股下域２１には、両側縁部８ａに沿って縦方向へ延びる脚周り用弾性部材１２が内面シート９と外面シート１０との間に介在し、それらシート９，１０の少なくとも一方の内面に伸長状態で取り付けられている。
【００２２】
カバー８の内側には、前胴周り域２０と後胴周り域２２との間に、パッド１が面ファスナ７を介して取り外し可能に取り付けられている。パッド１は、カバー８の前胴周り域２０と後胴周り域２２との間に位置している。パッド１は、面ファスナ７のフック部７ｂが内面シート９を形成する不織布の繊維間隙に入り込み、繊維に引っ掛かることで、パッド１がカバー８の内側で動いたり、ずれたりすることを防いでいる。
【００２３】
カバー８は、後胴周り域２２の両側縁部８ａにテープファスナ１３を有し、ファスナ１３を使用することによって、従来の使い捨ておむつを着用するときと同様に、パッド１とカバー８との組立体を着用することができる。
【００２４】
パッド１がこのように使用されると、排泄物がパッド１の内面へ排泄され、カバー８を汚すことがない。排泄物で汚れたパッド１だけをカバー８から取り外して廃棄すればよいから、カバー８を繰り返し使用することができる。
【００２５】
面ファスナ７は、パッド１と併用されるアウター部材のうち、カバー８の構成部材である内面シート１０の不織布、または、布製のおむつカバーや失禁パンツ等の繊維に掛着することができれば、フックの形状に特に限定はない。
【００２６】
面ファスナ７は、パッド１の両端縁部１ｂの他に、パッド１を縦方向に二分する横中心線近傍に取り付けられていてもよく、面ファスナ７を取り付ける位置について特に限定はない。面ファスナ７をパッド１に３つ以上取り付けることもでき、面ファスナ７の角部７ｄを面取りすることもできる。
【００２７】
表面シート２には、不織布や開孔プラスチックフィルム等の透液性のシート、好ましくは透液性であって親水性のシートが使用される。裏面シート３と防漏シート５とには、疎水性不織布、不透液性のプラスチックフィルムまたは疎水性不織布とプラスチックフィルムとのラミネートシート、好ましくは通気不透液性のシートが使用される。
【００２８】
不織布としては、スパンレース、ニードルパンチ、メルトブローン、サーマルボンド、スパンポンド、ケミカルボンド等の不織布を使用することができる。不織布の構成繊維としては、ポリオレフィン系、ポリエステル系、ポリアミド系、の各繊維、ポリエチレン／ポリプロピレンまたはポリエステルの複合繊維等を使用することができる。
【００２９】
コア４は、フラッフパルプと高吸収性ポリマー粒子との混合物であり、所要の厚みに圧縮され、表面が透液性不織布またはティッシュペーパー等の透水性シート（図示せず）で被覆されている。
【００３０】
コア４の接合やシートの固着、弾性部材の取り付けには、ホットメルト接着剤等の接着剤や粘着剤の他に、熱溶着の技術を利用することができる。この発明は、パッド１の他に、おむつライナー、パンティーライナー等に実施することができる。
【００３１】
【発明の効果】
本発明に係る体液吸収性インナーパネルによれば、面ファスナの横方向両端部が防漏シートに被覆されているので、アウター部材の内面と面ファスナとがこすれ合っても、面ファスナの角部を防漏シートが保護をして、面ファスナの角部が不用意に捲れてしまうことを防ぐことができる。面ファスナの角部が裏面シートの外面に露出している場合と比較して、面ファスナの角部が裏面シートから剥離し難く、剥離した面ファスナの縁が着用者の肌に当たることによる不快感がない。
【００３２】
面ファスナの横方向両端部にはフック部が形成されていないので、横方向両端部においてシート状基部と防漏シートとが互いに固着されたとしても、横方向両端部における厚み寸法を面ファスナの横方向両端部を除いた部位のそれよりも小さくすることができ、横方向両端部がフック部のアウター部材に対する掛着の障害となることはない。
【００３３】
フック部は、フック形成側が防漏シートの外面から突出しているので、面ファスナの横方向両端部近傍に位置するフック部が、アウター部材の内面に確実に係着することができ、着用中にパッドがアウター部材から外れてしまうことを防ぐことができる。
【図面の簡単な説明】
【図１】  裏面シートの側から示す失禁者用吸尿パッドの部分破断平面図。
【図２】  図１のＡ−Ａ線断面図。
【図３】  パッドの斜視図。
【図４】  おむつカバーの内面にパッドを取り付けた状態の斜視図。
【符号の説明】
１          失禁者用吸尿パッド（体液吸収性インナーパネル）
１ａ        両側縁部
１ｂ        両端縁部
２          透液性表面シート
３          不透液性裏面シート
４          吸液性コア
５          液抵抗性防漏シート
５ｂ        固定側部
５ｃ        自由側部
５ｄ        固定端部
６          弾性伸縮性部材
７          雄型面ファスナ
７ａ        シート状基部
７ｂ        フック部
７ｃ        横方向両端部
７ｅ        フック形成側
８          おむつカバー（アウター部材）
【図１】
0003764010.tif 000002
【図２】
0003764010.tif 000003
【図３】
0003764010.tif 000004
【図４】
0003764010.tif 000005